(57)【要約】【課題】異なる線状体を保持して跳ね出しを防止し得る医療用トレイを提供する。【解決手段】医療用トレイ１０は、底板１１と、底板の外周に沿って設けられ、可撓性の線状体２０、３０、４０を収納できる収納空間を底板とともに形成する側壁１２と、側壁に設けられ、線状体を保持できるホルダ１４と、を有し、ホルダが、弾性を有する弾性材料によって形成され、線状体を差し込み可能な切れ込み状のスリット１５を有する。【選択図】図１
2011167451.tif 000002
【特許請求の範囲】
【請求項１】
底板と、
当該底板の外周に沿って設けられ、可撓性の線状体を収納できる収納空間を前記底板とともに形成する側壁と、
当該側壁に設けられ、前記線状体を保持できるホルダと、を有し、
前記ホルダが、弾性を有する弾性材料によって形成され、前記線状体を差し込み可能な切れ込み状のスリットを有する、医療用トレイ。
【請求項２】
前記ホルダが、前記側壁が折れ曲がった角部に近接して設けられる、請求項１に記載の医療用トレイ。
【請求項３】
前記ホルダが、複数の前記スリットを有する、請求項１又は２に記載の医療用トレイ。
【請求項４】
前記線状体を前記収納空間に収納したきに、前記線状体の一方の端部が、前記スリットから前記収納空間の外側に突出する、請求項１〜３のうちのいずれか１つに記載の医療用トレイ。
【請求項５】
前記側壁に設けられ、前記線状体の跳ね上がりを阻害可能な跳ね出し防止部を有する、請求項１〜４のうちのいずれか１つに記載の医療用トレイ。
【請求項６】
前記ホルダが、ポリエチレンの発泡体、ポリウレタンの発泡体、ポリスチレンの発泡体、ポリプロピレンの発泡体、エチレン・酢酸ビニル共重合体の発泡体、シリコーンの発泡体、及びゴムのうちの１つからなる、請求項１〜５のうちのいずれか１つに記載の医療用トレイ。
【請求項７】
医療器具を包装するための包装トレイとして用いることができる、請求項１〜６のうちのいずれか１つに記載の医療用トレイ。
【発明の詳細な説明】
【技術分野】
【０００１】
本発明は、可撓性の線状体を収納するための医療用トレイに関する。
【背景技術】
【０００２】
医療現場では診断、検査及び治療を行う前、それらの処置に必要とされる医療器具や薬剤等が滅菌されたトレイにセットされ、処置に当ってトレイ内から取り出されて用いられる。近年では、医療現場で医療器具や薬剤等を準備する手間を省くため、必要な医療器具や薬剤等を予めトレイに収納し、トレイごと包装袋に入れて滅菌したパッケージ製品の開発が進んでいる。
【０００３】
トレイは、カテーテルやガイドワイヤを用いる処置においては医療器具や薬剤等を入れておくためだけでなく、カテーテルやガイドワイヤの表面を湿潤した状態にするためにも用いられる。処置に応じて必要なカテーテルやガイドワイヤがトレイ内にセットされ、そしてトレイ内に生理食塩水等が満たされることによってカテーテルやガイドワイヤの表面を湿潤した状態にする。
【０００４】
カテーテルやガイドワイヤ等の可撓性の線状体は、通常、巻き回した状態でトレイ内にセットされるが、線状体自身の弾力によってトレイから跳ね出し易い。このため例えば特許文献１に記載のトレイでは、壁面の一部に切り欠きが設けられ、切り欠きに線状体が挿入されることによって保持され、跳ね出しが防止される。
【先行技術文献】
【特許文献】
【０００５】
【特許文献１】特開２００４−８９６１８号公報
【発明の概要】
【発明が解決しようとする課題】
【０００６】
しかし、トレイの材質は一般的に硬く、切り欠きに線状体を押し込んで保持すると線状体の形状や径によっては線状体を傷つける虞があり、また、特許文献１に記載の切り欠きは廃液口としても用いられるため、ある程度の幅がなければならず、線状体が比較的細い場合、線状体の保持が困難で、処置によって異なる多種多様なカテーテルやガイドワイヤに対応し得るものではなかった。
【０００７】
本発明はこのような課題に鑑みてなされたものであり、異なる線状体を保持して跳ね出しを防止し得る医療用トレイを提供することを目的とする。
【課題を解決するための手段】
【０００８】
上記目的を達成するための本発明の医療用トレイは、底板と、当該底板の外周に沿って設けられ、可撓性の線状体を収納できる収納空間を前記底板とともに形成する側壁と、当該側壁に設けられ、前記線状体を保持できるホルダと、を有し、前記ホルダが、弾性を有する弾性材料によって形成され、前記線状体を差し込み可能な切れ込み状のスリットを有する。
【発明の効果】
【０００９】
上記のように構成した本発明の医療用トレイは、スリットに線状体を差し込むとスリットが線状体に合わせて弾性変形するため、異なる線状体を保持して跳ね出しを防止できる。
【００１０】
前記ホルダが、前記側壁が折れ曲がった角部に近接して設けられるようにすれば、線状体をホルダによって保持した場合に、巻き回された状態の線状体が収納空間内で広がり易く、線状体の弾力を緩和して跳ね出しを防止できる。
【００１１】
前記ホルダが複数の前記スリットを有するようにすれば、複数の線状体が別々に保持されて識別し易く、また線状体を取り出す際に線状体同士が絡まり難いため、線状体の取り出しが容易である。
【００１２】
前記線状体を前記収納空間に収納したときに、前記線状体の一方の端部が、前記スリットから前記収納空間の外側に突出するようにすれば、線状体を掴み易く、また、引き出された端部から線状体を識別し易いため、線状体の取り出しが容易である。
【００１３】
前記側壁に設けられ、前記線状体の跳ね上がりを阻害可能な跳ね出し防止部を有するようにすれば、跳ね出し防止部によって線状体が係止されるため、跳ね出しが防止される。
【００１４】
前記ホルダが、ポリエチレンの発泡体、ポリウレタンの発泡体、ポリスチレンの発泡体、ポリプロピレンの発泡体、エチレン・酢酸ビニル共重合体の発泡体、シリコーンの発泡体、及びゴムのうちの１つからなるようにすれば、スリットが弾性変形し易く、スリットへの線状体の差し込み、及びスリットからの線状体の取り出しが容易である。
【００１５】
前記医療用トレイを、医療器具を包装するための包装トレイとして用いることができるようにすれば、医療用トレイを用いて医療器具を包装し、現場で包装を解くことによって医療器具が医療用トレイにセットされた状態となり、医療現場でセットする手間を省け、また、線状体を浸漬するために医療用トレイを別途用意する必要がなく、作業効率に優れる。
【図面の簡単な説明】
【００１６】
【図１】実施形態に係る医療用トレイ及びカテーテルの概略斜視図である。
【図２】実施形態に係る医療用トレイ及びカテーテルの部分拡大斜視図である。
【図３】図１の３−３線に沿う断面図である。
【図４】実施形態に係る医療用トレイ及びカテーテルの平面図である。
【図５】実施形態の変形例を示す平面図である。
【図６】実施形態と異なる他の例を示す部分拡大側面図である。
【発明を実施するための形態】
【００１７】
以下、図面を参照して本発明の実施形態を説明する。
【００１８】
図１において概説すると、実施形態に係る医療用トレイ１０は、カテーテル２０、３０、４０（可撓性の線状体）を生理食塩水等に浸漬し、カテーテル２０、３０、４０に湿潤性を付与するために用いられるものである。また医療用トレイ１０は、医療器具や薬剤等を包装するための包装トレイとしても用いられる。必要な医療器具や薬剤等が、予め医療用トレイ１０に収納され、包装袋によって封止される。そして診断、検査及び治療等の処置に際して包装が解かれることによって医療用トレイ１０に医療器具や薬剤等がセットされた状態になる。医療器具等の使用によって医療用トレイ１０から医療器具等が取り出され、その後、空になった医療用トレイ１０に必要なカテーテル２０、３０、４０がセットされ、生理食塩水等が医療用トレイ１０に満たされる。医療器具は、例えば、シリンジ、ガイドワイヤ、シース、ダイレータ、はさみ類、ピンセット、脱脂綿類、及び使い捨ての不織布（ドレープ）等である。
【００１９】
医療用トレイ１０は、底板１１と、底板１１の外周に沿って設けられ、カテーテル２０、３０、４０を収納できる収納空間を底板１１とともに形成する側壁１２と、側壁１２に設けられ、カテーテル２０、３０、４０を保持できるホルダ１４と、を有する。ホルダ１４は、弾性を有する弾性材料によって形成され、カテーテル２０、３０、４０を差し込み可能な切れ込み状のスリット１５を有する。ホルダ１４は、側壁１２が折れ曲がった角部１８に近接して設けられている。医療用トレイ１０はまた、側壁１２に設けられ、カテーテル２０、３０、４０の跳ね上がりを阻害可能なフィン１６（跳ね出し防止部）及びアンダーカット部１３（跳ね出し防止部）を有する。
【００２０】
カテーテル２０、３０、４０は収納空間に巻き回して収納され、カテーテル２０、３０、４０のハブ２４、３４、４４（線状体の一方の端部）が、ホルダ１４から収納空間の外側へ引き出され、シース２２、３２、４２がスリット１５に差し込まれる。カテーテル２０、３０、４０の先端側は湾曲されて収納空間内に収納される。カテーテル２０、３０、４０はそれぞれ異なる径を有する。図１の２点鎖線で例示するように、カテーテル２０、３０、４０は、弾力によって外側に向かって広がり、アンダーカット部１３及びフィン１６の下で側壁１２に接した状態で収納される。
【００２１】
底板１１は、円弧状に丸まった角を有する略矩形形状であり、側壁１２は底板１１の外周全体に沿う。底板１１及び側壁１２は一体的に形成されている。底板１１及び側壁１２は、例えば、ポリエチレン、ポリプロピレン、ポリ塩化ビニル等の熱可塑性樹脂シートから真空成形等によって形成される。
【００２２】
図２に示すように、ホルダ１４は、平板状の部材である。ホルダ１４は、好ましくはポリエチレン、ポリウレタン、ポリスチレン、ポリプロピレン、エチレン・酢酸ビニル共重合体、シリコーン等の熱可塑性樹脂を発泡させたもの、又はゴムからなり、平板状に切り出すことによって形成される。
【００２３】
ホルダ１４はスリット１５を複数有する。複数のスリット１５は、略等間隔を空けて側壁１２に沿って互いに略平行に並ぶ。スリット１５の幅は、好ましくはカテーテル２０、３０、４０を含む一般的なカテーテルの直径より狭く、カテーテルが差し込まれると、これに合わせてスリット１５は弾性変形し、カテーテルを外周から押圧することによって保持する。複数のスリット１５の各々の幅は同一でもよいが、様々なカテーテルに対応するため、ホルダ１４は異なる幅のスリット１５を有することが好ましい。スリット１５は、カテーテル２０、３０、４０を引き出し易くするため、側壁１２に対して略直角に形成されている。ホルダ１４は、側壁１２に沿って互いに略平行、且つ、略直角に設けられた複数のスリット１５を有することにより、カテーテル２０、３０、４０を保持したときにカテーテル２０、３０、４０のハブ２４、３４、４４が互いに略平行に並ぶので、ハブ２４、３４、４４の色彩や表示を識別し易くなっている。
【００２４】
ホルダ１４は、スリット１５に向かって窪んだ切り欠き部１７を有する。カテーテル２０、３０、４０を差し込む際、切り欠き部１７がスリット１５にカテーテル２０、３０、４０を案内するため、スリット１５への差し込みが容易である。ホルダ１４は、接着剤、粘着剤、粘着テープ、及び熱融着等によって側壁１２に固定される。
【００２５】
図３に示すように、フィン１６は、収納空間に向かって突出し、好ましくは底板１１に向かって傾斜する。フィン１６は、ポリエチレン、ポリプロピレン、ポリ塩化ビニル等の熱可塑性樹脂シートから、打ち抜き、切り抜き等によって帯状に形成される。この場合、打ち抜き、切り抜き等によって形成した後、嵌合、係合、接着剤、粘着剤、粘着テープ、超音波融着、及び熱融着等によって、フィン１６は側壁１２の上端部に固定される。
【００２６】
また、フィン１６は、真空成形によって帯状に側壁１２と一体に成形されてもよい。この場合、成形直後に収納空間から外側に向かって突出しているフィン１６を、折り返して収納空間に向かって突出させ、接着剤、粘着剤、粘着テープ、超音波融着、及び熱融着等によって固定する。
【００２７】
突出方向のフィン１６の長さ（以下、単に奥行きと称す）、及び突出方向と直交する方向のフィン１６の長さ（以下、単に幅と称す）は、適宜設定できるが、奥行き及び幅が小さいと跳ね出し防止効果が減少する虞があり、逆に奥行き及び幅が大きいとカテーテル２０、３０、４０の収納及び取り出しが難しくなる虞があるため、これらを考慮に入れて設計することが好ましい。また、側壁１２に沿って跳ね上がるカテーテル２０、３０、４０に当ってこれを係止し易くするため、フィン１６は、カテーテル２０、３０、４０が接している側壁１２の上方に位置することが好ましい。
【００２８】
アンダーカット部１３は、段差状の構成を有し、底板１１の外周に沿って形成される。底板１１からアンダーカット部１３までの高さは適宜設定できるが、生理食塩水等を所望の量入れた場合の液面Ｌにほぼ一致する高さであることが好ましい。このような位置にアンダーカット部１３を設けておくことによって、生理食塩水等を入れる際の目安となり、生理食塩水等を入れる前に計量する手間が省ける。医療用トレイ１０に入れる生理食塩水等の量は、例えば５００〜１０００ｍｌである。
【００２９】
実施形態に係る医療用トレイ１０の効果を述べる。
【００３０】
医療現場では、処置に応じて用いるカテーテルが異なる。このため、本実施形態と異なり一定のカテーテルしか保持できない構成となっていると、所定のカテーテルと異なる他のカテーテルを収納した場合に良好に保持できず、跳ね出しが生じたり、無理に保持させる結果、カテーテルや医療用トレイに損傷を生じさせたりする虞がある。一方、本実施形態では、カテーテル２０、３０、４０を含む種々のカテーテルをスリット１５に差し込むと、スリット１５がカテーテルの径や外形に合わせて弾性変形するため、医療現場において様々なカテーテルが用いられても、これらを保持して跳ね出し防止を図り得る。
【００３１】
また、ホルダ１４が角部１８に近接して設けられるため、図４に示すように、角部１８から離隔して保持される場合（図４の２点鎖線参照）に比べ、巻き回されたカテーテル２０、３０、４０が収納空間内で広がり易く、カテーテル２０、３０、４０の弾力を緩和して跳ね出し防止を図り得る。
【００３２】
また、ホルダ１４が複数のスリット１５を有するため、複数のカテーテル２０、３０、４０が別々に保持されて識別し易く、またカテーテル２０、３０、４０を取り出す際にカテーテル２０、３０、４０同士が絡まり難いため、カテーテル２０、３０、４０の取り出しが容易である。
【００３３】
また、収納空間にカテーテル２０、３０、４０が収納され、ハブ２４、３４、４４がスリット１５から収納空間の外側へ引き出されるため、作業者がカテーテル２０、３０、４０を掴み易い。また、引き出されたハブ２４、３４、４４又はシース２２、３２、４２は、例えば、異なる彩色を有したり、それぞれに番号が付されたり、形状が異なったりしており、ハブ２４、３４、４４や引き出されたシース２２、３２、４２からカテーテル２０、３０、４０を識別し易いため、カテーテル２０、３０、４０の取り出しが容易である。
【００３４】
また、医療用トレイ１０はフィン１６及びアンダーカット部１３を有し、弾力によってカテーテル２０、３０、４０が跳ね上がってもフィン１６及びアンダーカット部１３によってカテーテル２０、３０、４０が係止されるため、跳ね出しが防止される。
【００３５】
ホルダ１４が、ポリエチレンの発泡体、ポリウレタンの発泡体、ポリスチレンの発泡体、エチレン・酢酸ビニル共重合体の発泡体、シリコーンの発泡体、又はゴムによって形成され、スリット１５が弾性変形し易いため、スリット１５へのカテーテル２０、３０、４０の差し込み、及びスリット１５からのカテーテル２０、３０、４０の取り出しが容易である。
【００３６】
医療用トレイ１０は、医療器具を包装するための包装トレイとして用いられる。このため、医療用トレイ１０を用いて医療器具を包装し、現場で包装を解くことによって医療器具が医療用トレイ１０にセットされた状態となり、医療現場でセットする手間を省け、また、カテーテル２０、３０、４０を浸漬するために医療用トレイ１０を別途用意する必要がなく、作業効率に優れる。
【００３７】
本発明は、上述した実施形態に限定されるものではなく、特許請求の範囲の範囲内で種々改変できる。
【００３８】
例えば、線状体は、カテーテル２０、３０、４０に限定されず、様々な他のカテーテルを含み、また、ガイドワイヤであってもよい。ガイドワイヤも、上述のカテーテル２０、３０、４０ように、巻き回され、スリットに差し込まれて保持される。
【００３９】
また、ホルダ１４の位置は、図１に示された位置に限定されず、図５に示すように、角部１８に近接する実施形態と異なる他の位置であってもよいし、他の角部１９に近接する位置であってもよい。
【００４０】
また、スリット１５の数は実施形態のように４つに限定されず、４つより多くてもよいし、４つより少なくてもよい。また、例えば、１つのスリット１５に複数の線状体を保持させることも可能である。
【００４１】
また、実施形態ではスリット１５によってカテーテル２０、３０、４０を挟んで保持したが、図６に示すように、スリット１５Ａに連通する孔１５Ｂを設け、スリット１５Ａを通じてこの孔１５Ｂにカテーテル２０、３０、４０（線状体）を入れ込んで保持してもよい。
【符号の説明】
【００４２】
１０    医療用トレイ、
１１    底板、
１２    側壁、
１３    アンダーカット部（跳ね出し防止部）、
１４、１４Ａ    ホルダ、
１５、１５Ａ    スリット、
１６    フィン（跳ね出し防止部）、
１７    切り欠き部、
１８、１９    角部、
２０、３０、４０    カテーテル（線状体）。
【図２】
2011167451.tif 000003
【図３】
2011167451.tif 000004
【図４】
2011167451.tif 000005
【図５】
2011167451.tif 000006
【図６】
2011167451.tif 000007
【図１】
2011167451.tif 000008